(57)【要約】  【課題】庫内の空気を効率よく乾燥できる除湿ユニット、およびこの除湿ユニットを用いた防湿庫を提供する。  【解決手段】保管品を保管する防湿庫１の庫内１０を除湿する除湿ユニット４であって、除湿ユニット４内と庫内１０との空気循環を行うための庫内吸気口４２１、４２２および庫内排気口４２３、４２４を有するハウジング４０と、スリット６０１が複数設けられたケース６０、およびケース６０内に収容された乾燥剤６１を有し、ハウジング４０内に配置された乾燥装置６と、ハウジング４０内に配置され、庫内吸気口４２１、４２２を介して庫内１０からハウジング４０内に取り込まれた空気を乾燥装置６のケース６０に設けられたスリット６０１に案内する風向板６３、４０１と、を備えている。【選択図】図２
2020089830.tif 000002
【特許請求の範囲】
【請求項１】
保管品を保管する防湿庫の庫内を除湿する除湿ユニットであって、
前記除湿ユニット内と前記庫内との空気循環を行うための庫内吸気口および庫内排気口を有するハウジングと、
スリットが複数設けられたケース、および前記ケース内に収容された乾燥剤を有し、前記筐体内に配置された乾燥装置と、
前記ハウジング内に配置され、前記ハウジングの前記庫内吸気口を介して前記庫内から前記ハウジング内に取り込まれた空気を前記乾燥装置の前記ケースに設けられた前記スリットに案内する風向板と、を備えている
ことを特徴とする除湿ユニット。
【請求項２】
請求項１に記載の除湿ユニットであって、
前記風向板は、少なくとも、前記乾燥装置の前記ケースおよび前記ハウジングの内壁の一方に設けられている
ことを特徴とする除湿ユニット。
【請求項３】
請求項１または２に記載の除湿ユニットであって、
前記風向板は、前記庫内から前記ハウジング内に取り込まれた空気の進行方向に沿って複数配置されている
ことを特徴とする除湿ユニット。
【請求項４】
請求項３に記載の除湿ユニットであって、
前記庫内から前記ハウジング内に取り込まれた空気の進行方向に沿って複数配置された前記風向板は、当該空気の進行方向の上流側から下流側に向けて、当該空気の進行方向と垂直な方向における長さが、徐々に大きくなる
ことを特徴とする除湿ユニット。
【請求項５】
請求項３または４に記載の除湿ユニットであって、
前記庫内から前記ハウジング内に取り込まれた空気の進行方向に向かうにしたがって、当該空気の進行方向に沿って複数配置された前記風向板が、当該空気の進行方向の上流側かつ前記乾燥装置側において当該空気の進行方向となす角は徐々に小さくなる
ことを特徴とする除湿ユニット。
【請求項６】
請求項１ないし５のいずれか一項に記載の除湿ユニットであって、
前記乾燥装置は、前記庫内から前記ハウジング内に取り込まれた空気の進行方向に対して斜めに配置されている
ことを特徴とする除湿ユニット。
【請求項７】
請求項１ないし６いずれか一項に記載の除湿ユニットであって、
前記乾燥装置は、前記庫内から前記ハウジング内に取り込まれた空気の進行方向において位置をずらして複数配置されている
ことを特徴とする除湿ユニット。
【請求項８】
請求項１ないし７のいずれか一項に記載の除湿ユニットであって、
前記ハウジングは、
前記除湿ユニット内と前記庫外との空気循環を行うための庫外吸気口および庫外排気口をさらに有し、
前記乾燥剤は、加熱再生可能であり、
前記乾燥装置は、
前記乾燥剤とともに前記ケース内に収容された乾燥剤用ヒータをさらに有し、
前記除湿ユニットは、
前記庫内吸気口、前記庫内排気口、前記庫外吸気口、および前記庫外排気口の開閉を行うシャッタと、
前記庫内吸気口あるいは前記庫外排気口を介して除湿ユニット内に空気を強制的に取り込むためのファンと、
前記シャッタにより、前記庫内吸気口および前記庫内排気口を開き、かつ、前記庫外吸気口および前記庫外排気口を閉じて、必要に応じて前記ファンを駆動して、前記除湿ユニット内と前記庫内との空気循環を行わせ、前記乾燥装置の前記乾燥剤が吸湿することにより前記庫内の空気を除湿する除湿処理、および、前記シャッタにより、前記庫内吸気口および前記庫内排気口を閉じ、かつ、前記庫外吸気口および前記庫外排気口を開いて、必要に応じて前記ファンを駆動して、前記除湿ユニット内と前記庫外との空気循環を行わせるとともに、前記乾燥装置の前記乾燥剤用ヒータを動作させて前記乾燥剤を加熱し、当該乾燥剤に溜まった水分を前記庫外に排出させて当該乾燥剤の乾燥能力を再生する加熱再生処理の実施を制御する制御手段と、をさらに備える
ことを特徴とする除湿ユニット。
【請求項９】
保管品を除湿された庫内に保管する防湿庫であって、
請求項１ないし８のいずれか一項に記載の除湿ユニットを備えている
ことを特徴とする防湿庫。
【発明の詳細な説明】
【技術分野】
【０００１】
本発明は、精密機器、食品、化学薬品等の保管品を保管する防湿庫に関し、特に、防湿庫の庫内を除湿するための除湿ユニットに関する。
【背景技術】
【０００２】
従来、除湿ユニットを備え、この除湿ユニットにより除湿された庫内に精密機器、食品、化学薬品等の保管品を保管する防湿庫が知られている（例えば特許文献１）。
【０００３】
ここで、除湿ユニットは、除湿ユニット内と庫内との空気循環、および除湿ユニット内と庫外の空気循環を択一的に行わせるためのシャッタと、庫内あるいは庫外の空気を除湿ユニット内に強制的に取り込むためのファンと、除湿ユニット内に配置された乾燥装置と、を備えている。乾燥装置は、ケースと、ケース内に充填された球状、ペレット状等の粒状の加熱再生可能な乾燥剤と、乾燥剤とともにケース内に収容された乾燥剤用ヒータと、を有する。ケースには、スリットが多数設けられており、ケース内に充填された粒状の乾燥剤は、これらのスリットを介して除湿ユニット内の空気に接触している。
【０００４】
この種の防湿庫は、シャッタにより除湿ユニット内と庫内との間を空気循環させ、必要に応じてファンを駆動して、庫内の空気を除湿ユニット内に強制的に取り込んで、乾燥装置により除湿する（除湿処理）。具体的には、庫内から除湿ユニット内に取り込んだ湿った空気を乾燥装置のケースに設けられたスリットを介してケース内に取り込んで、ケース内に充填された乾燥剤に吸湿させる。そして、乾燥剤により除湿された乾いた空気を除湿ユニット内から庫内に放出する。また、シャッタにより除湿ユニット内と庫外との間を空気循環させ、必要に応じてファンを駆動して、庫外の空気を除湿ユニット内に強制的に取り込むとともに、乾燥装置の乾燥剤用ヒータを動作させて、乾燥装置のケース内に充填された乾燥剤の乾燥能力を再生させる（加熱再生処理）。具体的には、乾燥剤用ヒータを動作させて乾燥剤を加熱することにより、乾燥剤に溜まった水分をケースに設けられたスリットを介してケース外に放出し、庫外から除湿ユニット内に取り込んだ乾いた空気を加湿する。そして、加湿された湿った空気を除湿ユニット内から庫外に放出する。
【先行技術文献】
【特許文献】
【０００５】
【特許文献１】特開２０１３−１３４０３４号公報
【発明の概要】
【発明が解決しようとする課題】
【０００６】
ところで、除湿ユニットを備えた防湿庫において、庫内を低湿度に維持するためには、庫内から除湿ユニット内に取り込んだ空気を、除湿ユニット内に配置された乾燥装置のケース内に効率よく取り込んで、ケース内に充填された乾燥剤に吸湿させる必要がある。
【０００７】
本発明は上記事情に鑑みてなされたものであり、その目的は、庫内の空気を効率よく乾燥できる除湿ユニット、およびこの除湿ユニットを用いた防湿庫を提供することにある。
【課題を解決するための手段】
【０００８】
上記課題を解決するために、本発明では、庫内から除湿ユニット内に取り込んだ空気を、除湿ユニット内に配置された乾燥装置のケースに設けられたスリットに案内する風向板を設けた。なお、風向板は、乾燥装置のケースに設けてもよいし、あるいは除湿ユニットのハウジングの内壁に設けてもよい。
【０００９】
例えば、本発明の除湿ユニットは、
保管品を保管する防湿庫の庫内を除湿する除湿ユニットであって、
前記除湿ユニット内と前記庫内との空気循環を行うための庫内吸気口および庫内排気口を有するハウジングと、
スリットが複数設けられたケース、および前記ケース内に収容された乾燥剤を有し、前記ハウジング内に配置された乾燥装置と、
前記ハウジング内に配置され、前記ハウジングの前記庫内吸気口を介して前記庫内から前記ハウジング内に取り込まれた空気を前記乾燥装置の前記ケースに設けられた前記スリットに案内する風向板と、を備えている。
【００１０】
また、本発明の防湿庫は、上述の除湿ユニットを備えている。
【発明の効果】
【００１１】
本発明によれば、除湿ユニットのハウジング内に配置された風向板により、庫内から除湿ユニットのハウジング内に取り込まれた空気が、除湿ユニットのハウジング内に配置された乾燥装置のケースに設けられたスリットに案内される。これにより、庫内から除湿ユニットのハウジング内に取り込まれた空気を乾燥装置のケース内に収容された乾燥剤に効率よく吸湿させることできるので、庫内の空気を効率よく乾燥させて、庫内を低湿度に維持することができる。
【図面の簡単な説明】
【００１２】
【図１】図１は、本発明の一実施の形態に係る防湿庫１の概略構成図である。
【図２】図２は、図１に示す除湿ユニット４の概略断面図である。
【図３】図３（Ａ）は、乾燥装置６の正面図であり、図３（Ｂ）は、図３（Ａ）に示す乾燥装置６のＡ−Ａ断面図である。
【図４】図４は、本発明の一実施の形態に係る防湿庫１の試験品と比較品とを同条件で稼働させた場合における庫内１０の露点温度の測定結果を示す図である。
【図５】図５は、除湿ユニット４の変形例４Ａを説明するための概略断面図である。
【図６】図６は、除湿ユニット４の変形例４Ｂを説明するための概略断面図である。
【図７】図７は、除湿ユニット４の変形例４Ｃを説明するための概略断面図である。
【図８】図８は、除湿ユニット４の変形例４Ｄを説明するための概略断面図である。
【図９】図９は、除湿ユニット４の変形例４Ｅを説明するための概略断面図である。
【図１０】図１０は、除湿ユニット４の変形例４Ｆを説明するための概略断面図である。
【発明を実施するための形態】
【００１３】
以下に、本発明の一実施の形態について、図面を参照して説明する。
【００１４】
図１は、本実施の形態に係る防湿庫１の概略構成図である。
【００１５】
本実施の形態に係る防湿庫１は、精密機器、食品、化学薬品等の、高度な湿度管理が要求される保管品を保管するための保管庫であり、庫内１０を自動的に除湿し、保管品を一定の湿度状態で保管する。
【００１６】
図示するように、防湿庫１は、筺体１５と、防湿庫１の筺体１５の前面（庫内１０にアクセスするための扉１１が設けられている側の面）等に配置された操作パネル２と、庫内１０に配置された湿度センサ３と、除湿ユニット４と、制御盤５と、を備えている。
【００１７】
操作パネル２は、各種指示、設定情報等を操作者から受け付けるためのボタン、キー等の入力装置と、各種設定情報、動作状態、環境情報等を操作者に知らせるための液晶パネル、ＬＥＤ等の表示装置と、を備えている。
【００１８】
湿度センサ３は、庫内１０の湿度を検知し、その検知結果を制御盤５に出力する。
【００１９】
除湿ユニット４は、制御盤５の制御信号に応じて庫内１０を除湿する。
【００２０】
図２は、除湿ユニット４の概略断面図である。
【００２１】
図示するように、除湿ユニット４は、例えば筺体１５の背面板１２に形成された開口１３を塞ぐように配置される。なお、図２では、除湿ユニット４を、庫内１０側から開口１３を塞ぐように庫内１０に配置しているが、庫外１４側から開口１３を塞ぐように庫外１４に配置してもよい。除湿ユニット４は、乾燥装置６と、ファン４１と、乾燥装置６およびファン４１を収容するハウジング４０と、を備えている。
【００２２】
ハウジング４０には、ハウジング４０の内部と庫内１０とをつなぐ庫内側通気口として、庫内１０の空気Ｂ１をハウジング４０内に取り込むための庫内吸気口４２１、４２２と、ハウジング４０内の空気Ｂ２を庫内１０へ排出する庫内排気口４２３、４２４と、が形成されている。また、ハウジング４０の内部と庫外１４とをつなぐ庫外側通気口として、庫外１４の空気Ａ１をハウジング４０内に取り込むための庫外吸気口４２５、４２６と、ハウジング４０内の空気Ａ２を庫外１４へ排出するための庫外排気口４２７、４２８と、が形成されている。
【００２３】
また、ハウジング４０の内壁４００には、庫内１０あるいは庫外１４からハウジング４０内に取り込まれた空気の進行方向（庫内吸気口４２１、庫外吸気口４２５から庫内排気口４２３、庫外排気口４２７に向かう方向）Ｃに沿って風向板４０１が複数配置されている。風向板４０１は、ハウジング４０の庫内吸気口４２１、４２２あるいは庫外吸気口４２５、４２６を介してハウジング４０内に取り込まれた空気を乾燥装置６の後述するケース６０に設けられたスリット６０１に案内する。ここで、風向板４０１は、空気の進行方向Ｃの上流側かつ乾燥装置６側において空気の進行方向Ｃとなす角αが９０度より大きくなるように、空気の進行方向Ｃに対して傾斜した姿勢で設置されている。
【００２４】
ファン４１は、庫内吸気口４２１、４２２および庫内排気口４２３、４２４を介して、ハウジング４０内と庫内１０との間を強制的に空気循環させるため、あるいは、庫外吸気口４２５、４２６および庫外排気口４２７、４２８を介して、ハウジング４０内と庫外１４との間を強制的に空気循環させるために駆動される。
【００２５】
乾燥装置６は、吸湿することにより、庫内１０からハウジング４０内に取り込まれた空気を除湿する。また、吸湿した水分をハウジング４０内から庫外１４へ排出する。
【００２６】
図３（Ａ）は、乾燥装置６の正面図であり、図３（Ｂ）は、図３（Ａ）に示す乾燥装置６のＡ−Ａ断面図である。
【００２７】
図示するように、乾燥装置６は、ケース６０と、ケース６０内に充填された球状、ペレット状等の粒状の乾燥剤６１と、ケース６０内に乾燥剤６１とともに収容された乾燥剤用ヒータ６２と、庫内１０あるいは庫外１４からハウジング４０内に取り込まれた空気の進行方向Ｃに沿ってケース６０の表面に複数配置された風向板６３と、を備えている。
【００２８】
乾燥剤６１は、ゼオライト、シリカゲル等の加熱再生可能な乾燥剤であり、庫内１０の空気を十分に除湿できるように庫内１０のスペースに応じて定められた量の乾燥剤６１がケース６０に充填されている。
【００２９】
ケース６０には、乾燥剤６１の粒径より狭い幅のスリット６０１が複数形成されている。乾燥剤６１は、このスリット６０１を介してハウジング４０内を除湿したり、加湿したりする。
【００３０】
乾燥剤用ヒータ６２は、制御盤５の制御により、ケース６０内に充填された乾燥剤６１を加熱して乾燥剤６１の乾燥能力を再生する。
【００３１】
風向板６３は、ハウジング４０の庫内吸気口４２１、４２２あるいは庫外吸気口４２５、４２６を介してハウジング４０内に取り込まれた空気を、ケース６０に設けられたスリット６０１に案内する。ここで、風向板６３は、空気の進行方向Ｃの上流側かつ乾燥装置６側に位置する空気の進行方向Ｃとのなす角βが９０度より大きくなるように、空気の進行方向Ｃに対して傾斜した姿勢で設置されている。また、風向板６３と、ハウジング４０の内壁４００に設けられた風向板４０１とは、空気の進行方向Ｃに沿って交互に配置されている（図２参照）。
【００３２】
図２に戻って説明を続ける。
【００３３】
除湿ユニット４は、庫内吸気口４２１および庫外吸気口４２５を互いに排他的に開閉するシャッタ４３１と、庫内排気口４２３および庫外排気口４２７を互いに排他的に開閉するシャッタ４３２と、をさらに備えている。
【００３４】
除湿ユニット４は、後述する制御盤５の制御に従い、ハウジング４０の内部を庫内１０にのみ開放した状態（庫内吸気口４２１：開、庫外吸気口４２５：閉、庫内排気口４２３：開、庫外排気口４２７：閉）で、必要に応じてファン４１を回転させる。これにより、庫内１０内の湿った空気Ｂ１が、ハウジング４０内に取り込まれ、風向板６３、４０１によって乾燥装置６のスリット６０１に向けて誘導されて乾燥剤６１に効率的に接触して除湿された後、乾いた空気Ｂ２として庫内１０に排出されて、庫内１０が除湿される（除湿処理）。
【００３５】
また、ハウジング４０の内部を庫外１４にのみ開放した状態（庫内吸気口４２１：閉、庫外吸気口４２５：開、庫内排気口４２３：閉、庫外排気口４２７：開）で、乾燥装置６の乾燥剤用ヒータ６２を動作させて乾燥装置６の乾燥剤６１を加熱しつつ、必要に応じてファン４１を回転させる。これにより、庫外１４の空気Ａ１が、ハウジング４０内に取り込まれ、風向板６３、４０１によって乾燥装置６のスリット６０１に向けて誘導されて、乾燥剤用ヒータ６２により加熱された乾燥装置６の乾燥剤６１に効率的に接触して水分を放出された後、湿った空気Ａ２として庫外１４に排出されて、乾燥装置６の乾燥剤６１が乾燥する（加熱再生処理）。
【００３６】
図１に戻って説明を続ける。
【００３７】
制御盤５は、操作パネル２を介して操作者から受け付けた指示に従い、湿度センサ３により検知された庫内湿度に基づき除湿ユニット４を制御して、庫内１０を所望の湿度状態にする。図示するように、制御盤５は、湿度センサＩＦ部５１と、操作パネルＩＦ部５２と、シャッタ駆動部５３と、ファン駆動部５４と、ヒータ駆動部５５と、主制御部５０と、を備えている。
【００３８】
湿度センサＩＦ部５１は、湿度センサ３と接続するためのインターフェースである。操作パネルＩＦ部５２は、操作パネル２と接続するためのインターフェースである。シャッタ駆動部５３は、シャッタ４３１、４３２の動作を制御する。ファン駆動部５４は、ファン４１の動作を制御する。ヒータ駆動部５５は、乾燥装置６の乾燥剤用ヒータ６２の動作を制御する。
【００３９】
主制御部５０は、湿度センサＩＦ部５１に入力された湿度センサ３のセンサ値、操作パネルＩＦ部５２に入力された操作パネル２に対するユーザの操作情報に基づいて、シャッタ駆動部５３、ファン駆動部５４、およびヒータ駆動部５５を制御する。これにより、上述の除湿処理を実施することにより庫内１０を効率的に除湿して、庫内１０を所望の湿度状態に保つとともに、上述の加熱再生処理を実施して乾燥装置６の乾燥剤６１を効率的に乾燥させて、乾燥装置６の乾燥剤６１の除湿能力を維持する。
【００４０】
以上、本発明の一実施の形態について説明した。
【００４１】
本実施の形態では、除湿ユニット４のハウジング４０内に配置された風向板６３、４０１により、除湿処理中、庫内１０から除湿ユニット４のハウジング４０内に取り込まれた空気が、除湿ユニット４のハウジング４０内に配置された乾燥装置６のケース６０に設けられたスリット６０１に案内される。このため、庫内１０から除湿ユニット４のハウジング４０内に取り込まれた空気を、乾燥装置６のケース６０内に収容された乾燥剤６１に効率よく吸湿させることできる。したがって、本実施の形態によれば、庫内１０の空気を効率よく乾燥させて、庫内１０を低湿度に維持することができる。同様に、加熱再生処理中、除湿ユニット４のハウジング４０内に配置された庫外１４から除湿ユニット４のハウジング４０内に取り込まれた空気が、風向板６３、４０１により、乾燥装置６のケース６０のスリット６０１に案内されるため、乾燥装置６のケース６０内の乾燥剤６１の除湿能力を効率的かつ確実に再生することができる。このため、十分に除湿能力を回復させ乾燥剤６１によって庫内１０の空気が効率的に除湿され、庫内１０を低湿度に維持することができる。
【００４２】
本発明者は、本実施の形態に係る防湿庫１の試験品と、防湿庫１の除湿ユニット４から風向板６３、４０１を省略した比較品とを、試験環境（雰囲気温度、湿度）、加熱再生処理の実施タイミング等の条件を同じにして所定時間（１１０時間）稼働させ、それぞれの庫内１０の露点温度を観測した。その結果を図４に示す。
【００４３】
図において、実線のグラフ７０は、防湿庫１の試験品の測定結果を示しており、点線のフラグ７１は、除湿ユニット４から風向板６３、４０１を省略した比較品の測定結果を示している。両グラフ７０、７１において、定期的に露点温度が上昇しているのは、加熱再生処理の影響によるものである。
【００４４】
図示するように、防湿庫１の試験品の方が比較品よりも露点温度が低く、比較品の最低露点温度が−３７．７１度であったのに対して、試験品の最低露点温度は−４０．８２度であり、試験品は比較品に対して最低露点温度が３度以上低い。この効果は、比較品において、風向板６３、４０１を省略した除湿ユニット４を２台搭載した場合に得られる効果と略同程度であり、防湿性能に関し、防湿庫１の試験品は、比較品に対して顕著な改善効果を確認できた。
【００４５】
本発明は上記の実施の形態に限定されるものではなく、その要旨の範囲内で数々の変形が可能である。
【００４６】
例えば、上記の実施の形態では、除湿ユニット４のハウジング４０内に、２台の乾燥装置６を、庫内１０からハウジング４０内に取り込まれた空気の進行方向Ｃにおいて位置を揃えて配置している。しかし、本発明はこれに限定されない。例えば、図５に示す除湿ユニット４Ａのように、空気の進行方向Ｃに位置をずらして２台の乾燥装置６をハウジング４０内に配置してもよい。このようにすることで、ハウジング４０内を流れる空気により多くの乱流を発生させて、より多くの空気を、乾燥装置６のケース６０に設けられたスリット６０１内に流入させ、ケース６０内に収容された乾燥剤６１に効率よく吸湿させることできる。この際、ハウジング４０の内壁４００に複数設けられた風向板４０１の位置を、乾燥装置６の位置に合わせて調整することが好ましい。
【００４７】
また、上記の実施の形態では、除湿ユニット４のハウジング４０内に、２台の乾燥装置６を、庫内１０からハウジング４０内に取り込まれた空気の進行方向Ｃに平行となるように配置している。しかし、本発明はこれに限定されない。例えば、図６に示す除湿ユニット４Ｂのように、この空気の進行方向Ｃに対して斜めとなるように２台の乾燥装置６をハウジング４０内に配置してもよい。このようにすることで、庫内１０からハウジング４０内に取り込まれた空気を乾燥装置６に直接当てて、より多くの空気を乾燥装置６のケース６０に設けられたスリット６０１内に流入させ、ケース６０内に収容された乾燥剤６１に効率よく吸湿させることできる。
【００４８】
また、上記の実施の形態では、乾燥装置６のケース６０に同サイズの複数の風向板６３を同様な姿勢で設けることによって、庫内１０からハウジング４０内に取り込まれた空気の進行方向Ｃに対して垂直な方向における風向板６３の長さＴ（図２参照）をすべて同じにしている。しかし、本発明はこれに限定されない。例えば、図７に示す除湿ユニット４Ｃのように、乾燥装置６のケース６０に、幅の異なる複数の風向板を同様な姿勢で設けることによって、空気の進行方向Ｃの上流側から下流側に向かうにしたがって、空気の進行方向Ｃに対して垂直な方向における風向板６３の長さＴが徐々に大きくなるようにしてもよい。このようにすることで、空気の進行方向Ｃの下流側においても、乾燥装置６のケース６０に設けられたスリット６０１内に空気を効率よく流入させることが可能となるので、ケース６０内に収容された乾燥剤６１に効率よく吸湿させることできる。ここで、ハウジング４０の内壁４００に複数設けられた風向板４０１についても同様に、空気の進行方向Ｃの上流側から下流側に向かうにしたがって、空気の進行方向Ｃに対して垂直な方向における長さが徐々に大きくなるようにしてもよい。
【００４９】
また、上記の実施の形態では、乾燥装置６のケース６０に設けられたすべての風向板６３が、庫内１０からハウジング４０内に取り込まれた空気の進行方向Ｃの上流側かつ乾燥装置６側において空気の進行方向Ｃと同じ角β（図３（Ｂ）参照）をなすようにしている。しかし、本発明はこれに限定されない。例えば、図８に示す除湿ユニット４Ｄのように、空気の進行方向Ｃの上流側から下流側に向うにしたがって、空気の進行方向Ｃに対して風向板６３の上流側かつ乾燥装置６側に位置する、空気の進行方向Ｃと風向板６３とのなす角βが徐々に小さくなるようにしてもよい。このようにすることで、空気の進行方向Ｃの下流側においても、乾燥装置６のケース６０に設けられたスリット６０１内に空気を効率よく流入させることが可能となるので、ケース６０内に収容された乾燥剤６１に効率よく吸湿させることできる。ここで、ハウジング４０の内壁４００に複数設けられた風向板４０１についても同様に、空気の進行方向Ｃの上流側から下流側に向うにしたがって、空気の進行方向Ｃの上流側かつ乾燥装置６側に位置する、空気の進行方向Ｃと風向板４０１とのなす角α（図２参照）を徐々に小さくしてもよい。
【００５０】
また、上記の実施の形態では、庫内１０からハウジング４０内に取り込まれた空気の進行方向Ｃにおいて、２台の乾燥装置６のケース６０に複数設けられた風向板６３の位置を揃えている。しかし、本発明はこれに限定されない。例えば、図９に示す除湿ユニット４Ｅのように、２台の乾燥装置６のケース６０に複数設けられた風向板６３の位置を空気の進行方向Ｃにずらしてもよい。このようにすることで、ハウジング４０内を流れる空気により多くの乱流を発生させて、より多くの空気を乾燥装置６のケース６０に設けられたスリット６０１内に流入させ、ケース６０内に収容された乾燥剤６１に効率よく吸湿させることできる。この際、ハウジング４０の内壁４００に複数設けられた風向板４０１の位置を、風向板６３の位置に合わせて調整することが好ましい。
【００５１】
また、上記の実施の形態において、図１０に示す除湿ユニット４Ｆのように、乾燥装置６の乾燥剤６１が充填されたケース６０内を通って、ケース６０のスリット６０１から排出された空気を、庫内１０からハウジング４０内に取り込まれた空気の進行方向Ｃの下流側に案内する風向板６４を、空気の進行方向Ｃに沿ってケース６０に複数設けてもよい。
【００５２】
また、上記の実施の形態において、図５〜図１０に示す除湿ユニット４Ａ〜４Ｆの特徴（風向板６３、４０１の配置、乾燥装置６の配置、風向板６４の追加等）を組み合わせて用いてもよい。
【００５３】
また、上記の実施の形態では、乾燥装置６のケース６０に複数設けられた風向板６３を、庫内１０からハウジング４０内に取り込まれた空気の進行方向Ｃに沿って等間隔に配置しているが、本発明はこれに限定されない。同様に、ハウジング４０の内壁４００に複数設けられた風向板４０１を空気の進行方向Ｃに沿って等間隔に配置しているが、本発明はこれに限定されない。また、庫内１０からハウジング４０内に取り込まれた空気を乾燥装置６のケース６０に設けられたスリット６０１に案内する風向板は、乾燥装置６およびハウジング４０の少なくとも一方に少なくとも１枚設置されていればよい。
【００５４】
また、上記の実施の形態では、除湿ユニット４のハウジング４０内に２台の乾燥装置６を配置した場合を例に取り説明したが、本発明はこれに限定されない。要求される除湿性能に応じて、ハウジング４０内に乾燥装置６を１台あるいは３台以上配置してもよい。
【００５５】
また、上記の実施の形態では、除湿ユニット４を庫内１０に１台配置した場合を例に取り説明したが、本発明はこれに限定されない。庫内１０のサイズ等に応じて、必要な数の除湿ユニット４を庫内１０に配置すればよい。
【００５６】
また、上記の実施の形態において、図１に示す制御盤５の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、およびＨＤＤ等の補助記憶装置を備えた汎用コンピュータにおいて、ＣＰＵが所定のプログラムを補助記憶装置からメモリ上にロードして実行することで実現されるものでもよい。
【符号の説明】
【００５７】
１：防湿庫  ２：操作パネル  ３：湿度センサ  ４：除湿ユニット  ５：制御盤
６：乾燥装置  １０：庫内  １１：扉  １２：背面板  １３：開口  １４：庫外
１５：筺体  ４０：ハウジング  ４１：ファン  ５０：主制御部
５１：湿度センサＩＦ部  ５２：操作パネルＩＦ部  ５３：シャッタ駆動部
５４：ファン駆動部  ５５：ヒータ駆動部  ６０：ケース  ６１：乾燥剤
６２：乾燥剤用ヒータ  ６３、６４、４０１：風向板  ４００：内壁
４２１、４２２：庫内吸気口  ４２３、４２４：庫内排気口
４２５、４２６：庫外吸気口  ４２７、４２８：庫外排気口
４３１、４３２：シャッタ  ６０１：スリット
【図１】
2020089830.tif 000003
【図２】
2020089830.tif 000004
【図３】
2020089830.tif 000005
【図４】
2020089830.tif 000006
【図５】
2020089830.tif 000007
【図６】
2020089830.tif 000008
【図７】
2020089830.tif 000009
【図８】
2020089830.tif 000010
【図９】
2020089830.tif 000011
【図１０】
2020089830.tif 000012